(57)【要約】【課題】  動画用記録媒体と静止画用記録媒体を区別し、記録媒体の着脱が必要な場合において、対象とする記録媒体を間違うことなく着脱することができ、また、使用用途ごとに分離した個々の記録媒体を複数の異なる使用用途で用いることを回避し、操作者の利便性を向上させる。【解決手段】  動画像データを記録する第１の記録媒体を脱着可能に挿入する第１の記録媒体挿入口と、動画像以外のデータを記録する第２の記録媒体を脱着可能に挿入する第２の記録媒体挿入口と、第１の記録媒体挿入口には動画像データを記録する第１の記録媒体を挿入し、第２の記録媒体挿入口には動画像以外のデータを記録する第２の記録媒体を挿入するように通知する表示手段とを備える。【選択図】  図１
2007074633.tif 000002
【特許請求の範囲】
【請求項１】
動画像データを記録する第１の記録媒体を脱着可能に挿入する第１の記録媒体挿入口と、
動画像以外のデータを記録する第２の記録媒体を脱着可能に挿入する第２の記録媒体挿入口と、
前記第１の記録媒体挿入口には動画像データを記録する第１の記録媒体を挿入し、前記第２の記録媒体挿入口には動画像以外のデータを記録する第２の記録媒体を挿入するように通知する表示手段とを備えた映像信号記録装置。
【請求項２】
第１の記録媒体を脱着可能に挿入する第１の記録媒体挿入口と、
第２の記録媒体を脱着可能に挿入する第２の記録媒体挿入口と、
前記第１の記録媒体挿入口に挿入された第１の記録媒体の使用用途と、前記第２の記録媒体挿入口に挿入された第２の記録媒体の使用用途を通知する表示手段と、
前記第１の記録媒体挿入口に挿入された第１の記録媒体の所定のパラメータを検出する第１のパラメータ検出手段と、
前記第２の記録媒体挿入口に挿入された第２の記録媒体の所定のパラメータを検出する第２のパラメータ検出手段とを備え、
前記第１のパラメータ検出手段の検出結果と、前記第２のパラメータ検出手段の検出結果とを用いて、前記第１の記録媒体と前記第２の記録媒体の一方の使用用途を動画像データ記録用に、他方の使用用途を動画像以外のデータ記録用にそれぞれ決定し、前記表示手段を介して通知することを特徴とする映像信号記録装置。
【請求項３】
前記所定のパラメータは、記録容量と記録時のデータ転送速度（以降、記録転送速度と称する）であり、
前記第１の記録媒体の記録転送速度と前記第２の記録媒体の記録転送速度が異なる場合、記録転送速度が速い記録媒体に動画像データを記録する旨を前記表示手段を用いて通知し、記録転送速度が遅い記録媒体に動画像以外のデータを記録する旨を前記表示手段を用いて通知することを特徴とする請求項２記載の映像信号記録装置。
【請求項４】
前記所定のパラメータは、記録容量と記録転送速度であり、
前記第１の記録媒体の記録転送速度と前記第２の記録媒体の記録転送速度が同じ場合、記録容量が多い記録媒体に動画像データを記録する旨を前記表示手段を用いて通知し、記録容量が少ない記録媒体に前記動画像以外のデータを記録する旨を前記表示手段を用いて通知することを特徴とする請求項２記載の映像信号記録装置。
【請求項５】
動画像データを記録する第１の記録媒体を脱着可能に挿入する第１の記録媒体挿入口と、
動画像以外のデータを記録する第２の記録媒体を脱着可能に挿入する第２の記録媒体挿入口と、
前記第１の記録媒体挿入口に挿入された第１の記録媒体の使用用途と、前記第２の記録媒体挿入口に挿入された第２の記録媒体の使用用途を通知する表示手段と、
前記第１の記録媒体と前記第２の記録媒体に記録されている情報（以降、ディレクトリ情報と称する）を検出するディレクトリ情報検出手段とを備え、
前記第１の記録媒体挿入口または前記第２の記録媒体挿入口のいずれか一方に前記第１の記録媒体または前記第２の記録媒体が挿入されており、他方に新たな記録媒体を挿入する場合、前記新たな記録媒体の使用用途を前記ディレクトリ情報検出手段を用いて検出し、前記第１の記録媒体挿入口に動画像以外のデータ記録用として前記新たな記録媒体を挿入して使用する、もしくは、前記第２の記録媒体挿入口に動画像データ記録用として前記新たな記録媒体を挿入して使用する場合、使用用途とは異なる使用である旨を前記表示手段を介して通知し、所定の処理を行うことを特徴とする映像信号記録装置。
【請求項６】
前記所定の処理とは、前記新たな記録媒体のフォーマットを行い、当該記録媒体挿入口で使用可能な状態にすることである請求項５記載の映像信号記録装置。
【請求項７】
前記所定の処理とは、前記新たな記録媒体を、当該記録媒体挿入口で使用可能な別の記録媒体に交換を促すことである請求項５記載の映像信号記録装置。
【請求項８】
前記第１の記録媒体挿入口と前記第２の記録媒体挿入口は、それぞれ同一形状の記録媒体が挿入可能な同一構造をしていることを特徴とする請求項１または請求項２または請求項５記載の映像信号記録装置。
【請求項９】
前記動画像以外のデータが静止画像であることを特徴とする請求項１または請求項２または請求項５記載の映像信号記録装置。
【請求項１０】
前記第１の記録媒体挿入口と前記第２の記録媒体挿入口を、当該記録媒体挿入口を配置する面の長辺に沿って並設したことを特徴とする請求項１または請求項２または請求項５記載の映像信号記録装置。
【発明の詳細な説明】
【技術分野】
【０００１】
本発明は、動画像および静止画像などの映像信号を、複数の着脱可能な記録媒体に記録するための映像信号記録装置に関するものである。
【背景技術】
【０００２】
近年、動画像や静止画像などの映像を記録する機器においては、記録媒体が従来の磁気テープやフィルムから、半導体メモリを使用したメモリカードへと切り替わろうとしている。特に、デジタルスチルカメラ商品は、その低価格もさることながら、上記メディアへの切り替わりによって、通常ならば３６枚程度の撮影枚数の上限を１０００枚近くに引き上げ、パーソナルコンピュータとのデータ連携など、従来の機械式カメラではなしえなかった新たな使い方を利用者に提案し、市場に急速に浸透していったことは記憶に新しい。また、データ容量の大きな動画においても同様に、これをメモリカードに記録する技術が提案・実用化されている。複数の記録媒体を用いて動画像と静止画像を個別の記録媒体に記録する手段としては、特許文献１に記載されているように、フラッシュメモリを用いた記録媒体には静止画像を記録し、テープメディアを用いた記録媒体には動画像を記録する技術などが提案されている。
【特許文献１】特開２００１−１６４９０号公報
【発明の開示】
【発明が解決しようとする課題】
【０００３】
しかしながら特許文献１に挙げた複数の記録媒体を用いた技術に関しては、形状の異なるテープメディアとフラッシュメモリメディアを用いた場合の技術についての記載はあるが、同一形状の複数メディアの使用形態に関しての記載は一切ない。同一形状の記録媒体を複数個用いる場合、動画像用記録媒体を挿入する挿入口と静止画像用記録媒体を挿入する挿入口とを操作者に対して通知しないと、記録媒体の容量がいっぱいになり、記録媒体を外す時に異なる記録媒体を外してしまうという課題がある。また、一方の挿入口に記録媒体が挿入済みで、他方の挿入口に記録媒体を挿入する場合、使用用途（動画像記録用途、もしくは静止画像記録用途）が指定している用途と異なる場合、用途毎に記録媒体を分けていても、混在することになってしまう。
【０００４】
本発明はこのような従来の課題を解決するもので、同一形状の記録媒体を着脱可能に挿入する複数の同一構造の挿入口を具備する映像記録装置において、記録媒体の挿入口ごとに使用用途を明示する表示機能を設けて各々の挿入口の使用用途を操作者に通知することで、記録容量がいっぱいになるなどして、他のストレージメディアなどへバックアップするために着脱が必要な場合において、対象とする記録媒体を間違うことなく着脱することができ、また、使用用途ごとに分離した個々の記録媒体を複数の異なる使用用途で用いることを回避し、操作者の利便性を向上させることを目的とする。
【課題を解決するための手段】
【０００５】
本発明の映像信号記録装置は、動画像データを記録する第１の記録媒体を脱着可能に挿入する第１の記録媒体挿入口と、動画像以外のデータを記録する第２の記録媒体を脱着可能に挿入する第２の記録媒体挿入口と、前記第１の記録媒体挿入口には動画像データを記録する第１の記録媒体を挿入し、前記第２の記録媒体挿入口には動画像以外のデータを記録する第２の記録媒体を挿入するように通知する表示手段とを備えたものである。
【０００６】
前記第１の記録媒体挿入口と前記第２の記録媒体挿入口は、それぞれ同一形状の記録媒体が挿入可能な同一構造をしている。
【０００７】
前記動画像以外のデータは、例えば、静止画像である。
【０００８】
前記第１の記録媒体挿入口と前記第２の記録媒体挿入口は、例えば、当該記録媒体挿入口を配置する面の長辺に沿って並設する。
【０００９】
本発明の映像信号記録装置によると、操作者に対して、動画像データと動画像以外のデータを記録するための記録媒体を通知することにより、動画像データ用記録媒体と動画像以外のデータ用記録媒体を区別することができる。
【００１０】
本発明の他の映像信号記録装置は、第１の記録媒体を脱着可能に挿入する第１の記録媒体挿入口と、第２の記録媒体を脱着可能に挿入する第２の記録媒体挿入口と、前記第１の記録媒体挿入口に挿入された第１の記録媒体の使用用途と、前記第２の記録媒体挿入口に挿入された第２の記録媒体の使用用途を通知する表示手段と、前記第１の記録媒体挿入口に挿入された第１の記録媒体の所定のパラメータを検出する第１のパラメータ検出手段と、前記第２の記録媒体挿入口に挿入された第２の記録媒体の所定のパラメータを検出する第２のパラメータ検出手段とを備え、前記第１のパラメータ検出手段の検出結果と、前記第２のパラメータ検出手段の検出結果とを用いて、前記第１の記録媒体と前記第２の記録媒体の一方の使用用途を動画像データ記録用に、他方の使用用途を動画像以外のデータ記録用にそれぞれ決定し、前記表示手段を介して通知することを特徴とする。
【００１１】
前記所定のパラメータは、記録容量と記録時のデータ転送速度（以降、記録転送速度と称する）であり、前記第１の記録媒体の記録転送速度と前記第２の記録媒体の記録転送速度が異なる場合、記録転送速度が速い記録媒体に動画像データを記録する旨を前記表示手段を用いて通知し、記録転送速度が遅い記録媒体に動画像以外のデータを記録する旨を前記表示手段を用いて通知する。
【００１２】
前記所定のパラメータは、記録容量と記録転送速度であり、前記第１の記録媒体の記録転送速度と前記第２の記録媒体の記録転送速度が同じ場合、記録容量が多い記録媒体に動画像データを記録する旨を前記表示手段を用いて通知し、記録容量が少ない記録媒体に前記動画像以外のデータを記録する旨を前記表示手段を用いて通知する。
【００１３】
前記第１の記録媒体挿入口と前記第２の記録媒体挿入口は、それぞれ同一形状の記録媒体が挿入可能な同一構造をしている。
【００１４】
前記動画像以外のデータは、例えば、静止画像である。
【００１５】
前記第１の記録媒体挿入口と前記第２の記録媒体挿入口は、例えば、当該記録媒体挿入口を配置する面の長辺に沿って並設する。
【００１６】
本発明の他の映像信号記録装置によると、記録媒体の記録転送速度や記録容量を用いて動画像データ記録用に最適な記録媒体を決定し、操作者に対して、動画像データと動画像以外のデータを記録するための記録媒体を通知することにより、動画像データ用記録媒体と動画像以外のデータ用記録媒体を区別することができる。
【００１７】
本発明のさらに他の映像信号記録装置は、動画像データを記録する第１の記録媒体を脱着可能に挿入する第１の記録媒体挿入口と、動画像以外のデータを記録する第２の記録媒体を脱着可能に挿入する第２の記録媒体挿入口と、前記第１の記録媒体挿入口に挿入された第１の記録媒体の使用用途と、前記第２の記録媒体挿入口に挿入された第２の記録媒体の使用用途を通知する表示手段と、前記第１の記録媒体と前記第２の記録媒体に記録されている情報（以降、ディレクトリ情報と称する）を検出するディレクトリ情報検出手段とを備え、前記第１の記録媒体挿入口または前記第２の記録媒体挿入口のいずれか一方に前記第１の記録媒体または前記第２の記録媒体が挿入されており、他方に新たな記録媒体を挿入する場合、前記新たな記録媒体の使用用途を前記ディレクトリ情報検出手段を用いて検出し、前記第１の記録媒体挿入口に動画像以外のデータ記録用として前記新たな記録媒体を挿入して使用する、もしくは、前記第２の記録媒体挿入口に動画像データ記録用として前記新たな記録媒体を挿入して使用する場合、使用用途とは異なる使用である旨を前記表示手段を介して通知し、所定の処理を行うものである。
【００１８】
前記所定の処理とは、前記新たな記録媒体のフォーマットを行い、当該記録媒体挿入口で使用可能な状態にすることである。または、前記新たな記録媒体を、当該記録媒体挿入口で使用可能な別の記録媒体に交換を促すことである。
【００１９】
前記第１の記録媒体挿入口と前記第２の記録媒体挿入口は、それぞれ同一形状の記録媒体が挿入可能な同一構造をしている。
【００２０】
前記動画像以外のデータは、例えば、静止画像である。
【００２１】
前記第１の記録媒体挿入口と前記第２の記録媒体挿入口は、例えば、当該記録媒体挿入口を配置する面の長辺に沿って並設する。
【００２２】
本発明のさらに他の映像信号記録装置によると、一方の記録媒体挿入口に記録媒体が挿入されておらず、未挿入の記録媒体挿入口に新たに記録媒体を挿入する場合、新たな記録媒体のディレクトリ構造などを調べ、設定されている記録媒体挿入口の使用用途と新たな記録媒体との整合性をもとに操作者に対して通知することにより、動画像データ用記録媒体と動画像以外のデータ用記録媒体を区別することができる。
【発明の効果】
【００２３】
本発明の映像信号記録装置によると、記録媒体挿入口の使用用途を表示手段を用いて操作者に対して通知し、各々の記録媒体挿入口に挿入される記録媒体内に複数の使用用途の混在を回避することで、記録容量がいっぱいになるなどして、他のストレージメディアなどへバックアップするために着脱が必要な場合において、対象とする記録媒体を間違うことなく着脱することができ、また、使用用途ごとに分離した個々の記録媒体を複数の異なる使用用途で用いることを回避し、操作者の利便性を向上させることができる。
【発明を実施するための最良の形態】
【００２４】
本発明の最良の実施の形態を、図１および図２に基づいて説明する。
【００２５】
図１は本実施の形態における映像信号記録装置のブロック図である。同図において、ＣＣＤ（撮像素子）２は、撮影レンズ１を介して得た撮影情報を光電変換し、ＣＣＤ信号として出力する。デジタル演算処理回路（ＤＳＰ）３は、ＣＣＤ２からの映像信号とマイク４からの音声信号を受ける。ＣＣＤ２から得られたＣＣＤ信号に対してはゲイン調整、ノイズ除去、ガンマ補正、アパーチャ処理、ニー処理等の周知のカメラ信号処理が施され、マイク４から得た音声信号に対しては、不要なノイズや風切り音の除去等の周知の音声信号処理が施される。デジタル演算処理回路３で処理された信号は、システムバス５を経由してシステムの作業領域として利用されるＲＡＭ６に格納される。ＲＡＭ６に格納されたデジタル信号はＣＯＤＥＣ（圧縮伸張処理回路）７によって画像圧縮および音声圧縮処理されブロックデータに変換される。同時にＣＯＤＥＣ７は、ディスプレイ８に記録画像を出力する。なお、このときの圧縮方式については特に限定されるものではないが、動画像に対しては、例えばＭＰＥＧ（Motion Picture Experts Group）２方式や、静止画像に対しては、ＪＰＥＧ（Joint Photographic Coding Experts Group）方式が考えられる。
【００２６】
次に、圧縮処理後の映像信号および音声信号は時間的同期をとって多重化され、ひとつのまとまったブロックデータに変換される。動画像の場合は、圧縮処理されたブロックデータは、ＣＯＤＥＣ７から第１のメモリカードコントローラ（第１のパラメータ検出手段）９に転送され、第１のメモリカードコントローラ９によって第１のメモリカード（第１の記録媒体）１１に記録される。静止画像の場合は、圧縮処理されたブロックデータは、ＣＯＤＥＣ７から第２のメモリカードコントローラ（第２のパラメータ検出手段）１２に転送され、第２のメモリカードコントローラ１２によって第２のメモリカード（第２の記録媒体）１４に記録される。第１のメモリカードソケット（第１の記録媒体挿入口）１０は第１のメモリカード１１と電気的に接続し、第１のメモリカード１１を自由に着脱できる。第２のメモリカードソケット（第２の記録媒体挿入口）１３は第２のメモリカード１４と電気的に接続し、第２のメモリカード１４を自由に着脱できる。ＣＰＵ１５は、これら一連のシーケンスを制御する。
【００２７】
第１のＬＥＤ２１，第２のＬＥＤ２２は、第１のメモリカードソケット１０に挿入されている第１のメモリカード１１の使用用途に応じて、一方を点灯させ、他方を消灯する。第３のＬＥＤ２３，第４のＬＥＤ２４は、第２のメモリカードソケット１３に挿入されている第２のメモリカード１４の使用用途に応じて一方を点灯させ、他方を消灯する。また、ディスプレイ８は、第１のメモリカードソケット１０および、第２のメモリカードソケット１３の使用用途もしくは、各々のメモリカードソケット１０，１３に挿入されているメモリカード１１，１４の使用用途を表示する。これら、ＬＥＤ２１〜２４ならびにディスプレイ８にて表示手段を構成している。
【００２８】
このようにして映像信号記録装置１００を構成する。
【００２９】
図２は、映像信号記録装置１００の外観形状の一例を示す斜視図である。同図において、図１で示したディスプレイ８および、第１のメモリカードソケット１０、第２のメモリカードソケット１３、および、第１のＬＥＤ２１、第２のＬＥＤ２２、第３のＬＥＤ２３、第４のＬＥＤ２４を配置する。
【００３０】
ディスプレイ８では、各々メモリカードを装着する第１のメモリカードソケット１０、第２のメモリカードソケット１３に現在設定している使用用途を表示し、操作者に対して使用用途に応じたメモリカードの挿入を促す。もしくは、現在挿入されているメモリカード１１，１４の使用用途を表示する。
【００３１】
第１のＬＥＤ２１、第２のＬＥＤ２２は第１のメモリカードソケット１０の使用用途を、第３のＬＥＤ２３、第４のＬＥＤ２４は第２のメモリカードソケット１３の使用用途を操作者に対して通知するものである。第１のＬＥＤ２１が点灯時は、第１のメモリカードソケット１０に挿入するメモリカード１１の使用用途が動画像記録用であり、第２のＬＥＤ２２が点灯時は、第１のメモリカードソケット１０に挿入するメモリカード１１の使用用途が静止画像記録用であることを操作者に通知する。もしくは、挿入されている第１のメモリカード１１の使用用途を操作者に対して通知する。第３のＬＥＤ２３が点灯時は、第２のメモリカードソケット１３に挿入するメモリカード１４の使用用途が動画像記録用であり、第４のＬＥＤ２４が点灯時は、第２のメモリカードソケット１３に挿入するメモリカード１４の使用用途が静止画像記録用であることを操作者に通知する。もしくは、挿入されている第２のメモリカード１４の使用用途を操作者に対して通知する。
【００３２】
また、図２に示すように、第１のメモリカードソケット１０と第２のメモリカードソケット１３は、当該メモリカードソケットを配置する面の長辺２５に沿って並設してある。すなわち、メモリカードソケットを横列に重ねて配置するのではなく、縦列に配置することで、映像信号記録装置の薄型化ならびに小型化を図かることができる。
【００３３】
以上のように構成された映像信号記録装置について、以下その動作を、複数の方式別に詳細に説明する。
【００３４】
（方式１）
第１のメモリカードソケット１０および、第２のメモリカードソケット１３に各々のメモリカードを挿入し、動画像信号を第１のメモリカード１１に記録し、静止画像を第２のメモリカード１４に記録する場合を以下に示す。
【００３５】
映像信号記録時において、ＣＯＤＥＣ７により圧縮処理されたデータが動画像の場合、第１のメモリカードコントローラ９を介して第１のメモリカードソケット１０に挿入されている第１のメモリカード１１に動画像圧縮データを記録する。ＣＯＤＥＣ７により圧縮処理されたデータが静止画像の場合、第２のメモリカードコントローラ１２を介して第２のメモリカードソケット１３に挿入されている第２のメモリカード１４に静止画像圧縮データを記録する。
【００３６】
このとき第１のＬＥＤ２１を点灯させ、第２のＬＥＤ２２を消灯させ、操作者に対して、第１のメモリカードソケット１０に挿入されている第１のメモリカード１１には動画像データを記録する旨を通知する。また、第３のＬＥＤ２３を消灯させ、第４のＬＥＤ２４を点灯させ、操作者に対して、第２のメモリカードソケット１３に挿入されている第２のメモリカード１４には静止画像データを記録する旨を通知する。
【００３７】
また、ディスプレイ８には、第１のメモリカードソケット１０に挿入する第１のメモリカード１１に記録するデータの使用用途は動画像であり、第２のメモリカードソケット１３に挿入する第２のメモリカード１４に記録するデータの使用用途は静止画像である旨を表示する。なお、両メモリカードソケット１０，１３にメモリカードが挿入されていない場合は、各々のメモリカードソケット１０，１３の使用用途を表示する。
【００３８】
この方式の映像信号記録装置によると、操作者に対して、動画像と静止画像を記録するためのメモリカードソケット１０，１３を通知することにより、動画用メモリカードと静止画用メモリカードを区別することができ、記録容量がいっぱいになるなどして、他のストレージメディアなどへバックアップするために着脱が必要な場合において、対象とするメモリカードを間違うことなく着脱することができる。また、使用用途ごとに分離した個々のメモリカードを複数の異なる使用用途で用いることを回避し、操作者の利便性を向上させることができる。
【００３９】
なお、以下の変形例としてもよい。
【００４０】
第１のメモリカードソケット１０を動画像記録用とし、第２のメモリカードソケット１３を静止画像記録用として説明したが、逆の使用用途としてもよい。
【００４１】
また、第１から第４のＬＥＤ２１〜２４やディスプレイ８を用いて各々のメモリカードソケット１０，１３の使用用途を操作者に対して通知しているが、説明のための一例であり、メモリカードソケット１０，１３の使用用途を操作者に対して通知する手段はこれに限るものではなく、いかなる構成や手段でも本発明に有効である。
【００４２】
また、動画像記録および静止画像記録は排他的に動作するような記載となっているが、同時動作記録時でも本発明は有効である。
【００４３】
また、映像信号及び音声信号はＣＣＤ２及びマイク４を使って得る構成を説明したがこれに限るものではなく、例えばＴＶチューナーや外部ビデオ入力手段を有し、ＴＶ放送や他の機器を経由して入力される映像信号及び音声信号を圧縮処理してメモリカード１１，１４に記録する構成でも本発明は有効である。
【００４４】
また、メモリカード１１，１４は半導体メモリ、例えばフラッシュメモリ（フラッシュＥＥＰＲＯＭ）を内蔵するメモリ手段として説明しているがこれに限るものではなく、他の同一形状の記憶媒体でも本発明は有効である。
【００４５】
また、映像信号及び音声信号を記録する機器をもとに説明を行ったがこれに限るものではなく、例えば、映像信号のみを記録する機器においても本発明は有効である。
【００４６】
また、映像信号の圧縮方法としてＭＰＥＧ２方式／ＪＰＥＧ方式を挙げているがこれに限るものではなく、例えば、ＭＰＥＧ４方式、モーションＪＰＥＧ方式、ＪＰＥＧ２０００方式等の他の圧縮方式を用いた場合でも本発明は有効である。
【００４７】
（方式２）
第１のメモリカードソケット１０および、第２のメモリカードソケット１３に各々のメモリカードを挿入し、各々のメモリカードの記録転送速度（記録時にメモリカードにデータ書き込みを行う時のデータ書き込み速度。メモリカードにより異なる。）や記録容量の情報を用いて、各々のメモリカードソケット１０，１３の使用用途を決定する場合を以下に示す。
【００４８】
第１のメモリカード１１と第２のメモリカード１４に対して記録転送速度および記録容量を第１のメモリカードコントローラ９および、第２のメモリカードコントローラ１２が検出し、ＣＵＰ１５を用いて記録転送速度が速いメモリカードに対して動画像データを記録する用途に振り分ける。記録転送レートが第１のメモリカード１１と第２のメモリカード１４で等しい場合や同等の場合は、記録容量が多いメモリカードを動画像データの記録用途に振り分ける。動画像データ用途に振り分けられなかったメモリカードは、静止画像データ記録用途に振り分ける。
【００４９】
記録転送速度および記録容量を検出した結果、第１のメモリカード１１を動画像記録用に、第２のメモリカード１４を静止画像記録用に振り分けた場合、第１のＬＥＤ２１を点灯させ、第２のＬＥＤ２２を消灯させ、操作者に対して、第１のメモリカードソケット１０に挿入されている第１のメモリカード１１には動画像データを記録する旨を通知する。また、第３のＬＥＤ２３を消灯させ、第４のＬＥＤ２４を点灯させ、操作者に対して、第２のメモリカードソケット１３に挿入されている第２のメモリカード１４には静止画像データを記録する旨を通知する。また、ディスプレイ８には、第１のメモリカードソケット１０に挿入する第１のメモリカード１１に記録するデータの使用用途は動画像であり、第２のメモリカードソケット１３に挿入する第２のメモリカード１４に記録するデータの使用用途は静止画像である旨を表示する。
【００５０】
この方式の映像信号記録装置によると、メモリカードの記録転送速度や記録容量を用いて動画像データ記録用に最適なメモリカードを決定し、操作者に対して、動画像と静止画像を記録するためのメモリカードを通知する。よって、動画用メモリカードと静止画用メモリカードを区別することができ、記録容量がいっぱいになるなどして、他のストレージメディアなどへバックアップするために着脱が必要な場合において、対象とするメモリカードを間違うことなく着脱することができる。また、使用用途ごとに分離した個々のメモリカードを複数の異なる使用用途で用いることを回避し、操作者の利便性が向上する。
【００５１】
なお、方式１に示した各変形例としてもよい。
【００５２】
（方式３）
第１のメモリカードソケット１０もしくは第２のメモリカードソケット１３のどちらか一方に、メモリカードが挿入されていない場合における使用用途を決定する場合を以下に示す。
【００５３】
第１のメモリカードソケット１０の使用用途が動画像となり、第２のメモリカードソケット１３の使用用途が静止画像となっており、第１のメモリカード１１が外されており、第２のメモリカード１４が挿入されている場合、新たに第１のメモリカードソケット１０に異なる第３のメモリカード（図示せず）を挿入する場合、第１のメモリコントローラ９は第３のメモリカードに対してアクセスし、第３のメモリカード内のディレクトリ構造を検査し、動画像の記録に不適切なディレクトリ構造（例えば、静止画像の記録に適したディレクトリ構造など）ならば、ディスプレイ８を用いて動画像の記録に適していない旨を操作者に対して通知する。操作者が適した用途でないにもかかわらず使用したい場合は、ディスプレイ８を用いて、第３のメモリカードのフォーマット（初期化）を促す表示を行い、操作者が承知すれば、第３のメモリカードのフォーマットを行い、動画像記録用として使用可能な状態にする。もしくは、第３のメモリカードを他のメモリカードへ交換を促す表示を行うと共に、第３のメモリカードへのデータの記録を行わないこととする。
【００５４】
この方式の映像信号記録装置によると、一方のメモリカードソケットにメモリカードが挿入されておらず、未挿入のメモリカードソケットに新たにメモリカードを挿入する場合、新たなメモリカードのディレクトリ構造などを調べ、設定されているメモリカードソケットの使用用途と新たなメモリカードとの整合性をもとに操作者に対して通知し、異なる使用用途での使用を排除し、記録容量がいっぱいになるなどして、他のストレージメディアなどへバックアップするために着脱が必要な場合において、対象とするメモリカードを間違うことなく着脱することができる。また、使用用途ごとに分離した個々のメモリカードを複数の異なる使用用途で用いることを回避し、操作者の利便性が向上する。
【００５５】
なお、方式１に示した各変形例としてもよい。
【産業上の利用可能性】
【００５６】
本発明は、メモリカードに動画像データや静止画像データを記録する映像信号記録装置として有用である。
【図面の簡単な説明】
【００５７】
【図１】本発明の実施の形態における映像信号記録装置のブロック図である。
【図２】本発明の実施の形態における映像信号記録装置の外観形状を示す斜視図である。
【符号の説明】
【００５８】
１  レンズ
２  ＣＣＤ
３  ＤＳＰ
４  マイク
５  システムバス
６  ＲＡＭ
７  ＣＯＤＥＣ
８  ディスプレイ（表示手段）
９  第１のメモリカードコントローラ（第１のパラメータ検出手段）
１０  第１のメモリカードソケット（第１の記録媒体挿入口）
１１  第１のメモリカード（第１の記録媒体）
１２  第２のメモリカードコントローラ（第２のパラメータ検出手段）
１３  第２のメモリカードソケット（第２の記録媒体挿入口）
１４  第２のメモリカード（第２の記録媒体）
１５  ＣＰＵ
２１  第１のＬＥＤ（表示手段）
２２  第２のＬＥＤ（表示手段）
２３  第３のＬＥＤ（表示手段）
２４  第４のＬＥＤ（表示手段）
１００  映像信号記録装置
【図１】
2007074633.tif 000003
【図２】
2007074633.tif 000004